(57)【要約】【課題】本発明は、ドアの可動範囲を容易に変更することができるドアストッパーおよびドアストッパーを備えた冷蔵庫を提供する。【解決手段】ドアストッパーは、本体１に対して回転可能に設けられた回転式ドア３と接触して回転式ドア３の可動範囲を制限する制限部材１２と、制限部材１２を本体１に固定可能な固定部材１３と、制限部材１２を固定部材１３側へ押圧し、制限部材１２を本体１に固定する弾性部材１４と、を備えたものである。制限部材１２は、弾性部材１４が収縮されることで、本体１に固定された状態が解除され、回転式ドア３と接触する位置を変更可能である。【選択図】          図２
2020176741.tif 000002
【特許請求の範囲】
【請求項１】
本体または前記本体に対して回転可能に設けられたドアと接触して前記ドアの可動範囲を制限する制限部材と、
前記制限部材を前記本体または前記ドアに固定可能な固定部材と、
前記制限部材を前記固定部材側へ押圧し、前記制限部材を前記本体または前記ドアに固定する弾性部材と、
を備え、
前記制限部材は、前記弾性部材が収縮されることで、前記本体または前記ドアに固定された状態が解除され、前記本体または前記ドアと接触する位置を変更可能である
ことを特徴とするドアストッパー。
【請求項２】
前記ドアが前記本体から離れる方向に回転し前記制限部材が前記本体または前記ドアと接触した際に、前記制限部材が前記本体または前記ドアに固定された状態が維持されるように、前記弾性部材は、前記制限部材を押圧する
ことを特徴とする請求項１に記載のドアストッパー。
【請求項３】
前記制限部材および前記固定部材のいずれか一方には凸部が設けられ、他方には前記凸部と嵌合可能な複数の凹部が設けられ、前記複数の凹部のいずれかと前記凸部とが嵌合することにより前記制限部材が前記本体または前記ドアに固定され、
前記ドアが前記本体から離れる方向に回転し前記制限部材が前記本体または前記ドアと接触した際に、前記弾性部材は、前記凸部と前記凹部の嵌合が解除されないように押圧する
ことを特徴とする請求項１または請求項２に記載のドアストッパー。
【請求項４】
前記制限部材は、前記弾性部材が押圧する面から前記固定部材と接触する面まで貫通する開口を有しており、
前記開口は、前記ドアを前記本体に対して回転可能に支持するシャフトに挿通されており、
前記複数の凹部は、前記シャフトの周方向に並ぶように前記制限部材または前記固定部材に設けられている
ことを特徴とする請求項３に記載のドアストッパー。
【請求項５】
前記本体または前記ドアに固定され、前記ドアが回転した際に前記制限部材と接触する面を有する接触部材をさらに備え、
前記制限部材は、前記接触部材と接触する位置が前記接触部材の面と対応する形状の面で構成されている
ことを特徴とする請求項１から請求項４のいずれか一項に記載のドアストッパー。
【請求項６】
前記制限部材は、前記弾性部材が前記制限部材を押圧する方向と交差する方向に延びる操作部を備えている
ことを特徴とする請求項１から請求項５のいずれか一項に記載のドアストッパー。
【請求項７】
前記制限部材は、前記本体または前記ドアと接触する位置にクッション材を備えている
ことを特徴とする請求項１から請求項６のいずれか一項に記載のドアストッパー。
【請求項８】
貯蔵物を出し入れするための開口が形成され、内部で前記貯蔵物を貯蔵する本体と、
前記本体に対して回転可能であり、回転することで前記本体の前記開口を開放および閉鎖するドアと、
前記本体または前記ドアと接触して前記ドアの可動範囲を制限する制限部材と、
前記制限部材を前記本体または前記ドアに固定可能な固定部材と、
前記制限部材を前記固定部材側へ押圧し、前記制限部材を前記本体または前記ドアに固定する弾性部材と、
を備え、
前記制限部材は、前記弾性部材が収縮されることで、前記本体または前記ドアに固定された状態が解除され、前記本体または前記ドアと接触する位置を変更可能である
ことを特徴とする冷蔵庫。
【発明の詳細な説明】
【技術分野】
【０００１】
本発明は、ドアの可動範囲を制限するドアストッパーおよび冷蔵庫に関する。
【背景技術】
【０００２】
ドアを備えた家電または家具などに設置され、ドアの可動範囲を制限するドアストッパーがある。下記の特許文献１および特許文献２には、冷蔵庫に設けられたドアストッパーが記載されている。これらのドアストッパーは、冷蔵庫の本体に固定されドアと接触する制限部材を備えており、ドアが開放された際に制限部材とドアが接触して、ドアの可動範囲が制限される。さらに、制限部材は位置を変更可能であり、制限部材の位置を変更することでドアの可動範囲を変更して、ほかの家電などとドアが衝突することを防ぐことができる。
【先行技術文献】
【特許文献】
【０００３】
【特許文献１】実開昭６２−２０４２９０号公報
【特許文献２】実開昭６３−１０４９８４号公報
【発明の概要】
【発明が解決しようとする課題】
【０００４】
上記の特許文献１および特許文献２のドアストッパーは、制限部材が冷蔵庫の本体に対してナットで固定されているため、ドアの可動範囲を変更する場合、工具を用いてナットを緩め、締めなおさなければならない。そのため、ドアの可動範囲を容易に変更できないという問題があった。
【０００５】
本発明は、上記のような課題を解決するためになされたものであり、ドアの可動範囲を容易に変更することができるドアストッパーおよび冷蔵庫を提供することを目的とする。
【課題を解決するための手段】
【０００６】
本発明に係るドアストッパーは、本体または本体に対して回転可能に設けられたドアと接触してドアの可動範囲を制限する制限部材と、制限部材を本体またはドアに固定可能な固定部材と、制限部材を固定部材側へ押圧し、制限部材を本体またはドアに固定する弾性部材と、を備えたものであり、制限部材は、弾性部材が収縮されることで、本体またはドアに固定された状態が解除され、本体またはドアと接触する位置を変更可能であることを特徴とするものである。
【０００７】
また、本発明に係る冷蔵庫は、貯蔵物を出し入れするための開口が形成され、内部で貯蔵物を貯蔵する本体と、本体に対して回転可能であり、回転することで本体の開口を開放および閉鎖するドアと、本体またはドアと接触してドアの可動範囲を制限する制限部材と、制限部材を本体またはドアに固定可能な固定部材と、制限部材を固定部材側へ押圧し、制限部材を本体またはドアに固定する弾性部材と、を備えたものであり、制限部材は、弾性部材が収縮されることで、本体またはドアに固定された状態が解除され、本体またはドアと接触する位置を変更可能であることを特徴とするものである。
【発明の効果】
【０００８】
本発明に係るドアストッパーおよび冷蔵庫は、制限部材を弾性部材で押圧し固定している。この弾性部材を収縮させることで、制限部材の位置を変更することができる。よって、ドアの可動範囲を容易に変更することができる。
【図面の簡単な説明】
【０００９】
【図１】本発明の実施の形態１に係る冷蔵庫の斜視図である。
【図２】本発明の実施の形態１に係るドアストッパーの分解図である。
【図３】本発明の実施の形態１に係るドアストッパーの制限部材の斜視図（上方視）である。
【図４】本発明の実施の形態１に係るドアストッパーの制限部材の斜視図（下方視）である。
【図５】本発明の実施の形態１に係るドアストッパーの固定部材の斜視図（上方視）である。
【図６】本発明の実施の形態１に係るドアストッパーを冷蔵庫に組付けた状態を示す断面図である。
【図７】本発明の実施の形態１に係るドアストッパーによって回転式ドアの可動範囲が９０度に制限されている様子を示す図である。
【図８】本発明の実施の形態１に係るドアストッパーによって回転式ドアの可動範囲が１３５度に制限されている様子を示す図である。
【図９】本発明の実施の形態２に係るドアストッパーの制限部材の斜視図（上方視）である。
【発明を実施するための形態】
【００１０】
以下、本発明の実施の形態について、図を用いて説明する。図中の同一の符号は、同一または相当する部分を表す。
【００１１】
実施の形態１
本発明の実施の形態１に係るドアストッパー１０およびドアストッパー１０を備えた冷蔵庫１００の構成について説明する。
本発明の実施の形態１の冷蔵庫１００は、図１に示されるように、貯蔵物を出し入れするための開口が形成された本体１、本体１の開口周辺に設けられたシャフト２ａ、２ｂ、シャフト２ａ、２ｂを中心に回転し本体１の開口を開放または閉鎖する回転式ドア３、シャフト２ｂ周辺に設けられ回転式ドア３の可動範囲を制限するドアストッパー１０、および本体１から引き出すことで本体１の開口を開放または閉鎖する引き出し式ドア４ａ、４ｂを備えている。
【００１２】
冷蔵庫１００の本体１は、内部に野菜、肉または飲み物などの貯蔵物を貯蔵するための筐体、およびシャフト２ａ、２ｂを固定するためのヒンジ６ａ、６ｂにより構成される。
本体１の筐体は、六面体形状の鋼板製の外箱と、外箱内に収納される樹脂製の内箱と、これらの間に充填された断熱材とから構成され、内部は樹脂製の仕切り板により３つの空間に区切られている。３つの空間は、上から順番に、冷蔵室、冷凍室、野菜貯蔵室である。また、外箱および内箱には、外部と３つの空間それぞれを連通する四角形状の３つの開口が上下に並んで形成されており、本体１の筐体は、各開口によって貯蔵物を出し入れ可能である。
なお、本体１の筐体における３つの開口が並んだ側を冷蔵庫１００の正面とする。また、冷蔵庫１００やその構成部材の説明で用いる上下左右の方向は、回転式ドア３を閉じた状態の冷蔵庫１００の正面側を見たときの上下左右の方向である。
また、ヒンジ６ａ、６ｂは、筐体の一番上の開口（冷蔵室の開口）における右上および右下の周辺に位置する２つの角にそれぞれ、ネジなどの締結具で固定されている。２つのヒンジ６ａ、６ｂはそれぞれ、対抗する位置にシャフト２ａ、２ｂと略一致する径の開口を有している。
【００１３】
ヒンジ６ａ、６ｂの開口にはそれぞれ、回転式ドア３を回転可能に支持するためのシャフト２ａ、２ｂが挿通されて固定されており、シャフト２ａ、２ｂの軸は、同軸上に配置されている。なお、右下のシャフト２ｂは、回転式ドア３の下方および内部に位置しているため、図１中では点線で示している。
【００１４】
回転式ドア３は、本体１の一番上の開口（冷蔵室の開口）を開放および閉鎖するドアであり、当該開口よりやや大きい板状の部材である。回転式ドア３は本体１同様、外側が鋼板製であり、内側が樹脂製であり、これらの間に断熱材が充填されている。また、回転式ドア３の内側には複数のドアポケット３１ａ、３１ｂが設けられており、飲み物や調味料などが収納可能である。
回転式ドア３には、回転式ドア３が閉じた状態で冷蔵庫１００の正面側を見た場合の右上および右下の２つの角に、シャフト２ａ、２ｂと略同径の開口が設けられている。シャフト２ａ、２ｂがこれらの開口に挿入され、回転式ドア３はシャフト２ａ、２ｂによって回転可能に支持される。これにより、回転式ドア３は、本体１に対して回転し本体１の開口を開放および閉鎖する。
【００１５】
ドアストッパー１０は、本体１の一番上の開口（冷蔵室の開口）の右下に位置するヒンジ６ｂ上および回転式ドア３の右下の角に設けられており、回転式ドア３が回転して一番上の開口を開放した際に、回転式ドア３の可動範囲を制限する。回転式ドア３の可動範囲は、回転式ドア３が本体１を閉鎖している状態での位置から最大限開放した状態（ドアストッパー１０と接触した状態）での位置までの範囲をいう。すなわち、ドアストッパー１０の位置を変更しなければ、回転式ドア３は可動範囲を超えて回転することはない。
図１では、ドアストッパー１０は回転式ドア３の下方または裏側にあるため、点線で示している。ドアストッパー１０の詳細な構成は後述する。
【００１６】
引き出し式ドア４ａ、４ｂは、上から２番目、３番目の開口（冷凍室の開口、野菜貯蔵室の開口）を開放および閉鎖するドアであり、対応する開口よりやや大きい板状の部材である。回転式ドア３同様、外側が鋼板製であり、内側が樹脂製であり、その間に断熱材が充填されている。
引き出し式ドア４ａ、４ｂは、本体１の内側に設けられたスライダによって支持されており、冷蔵庫１００の正面側を見たとき、前後方向に移動し、２番目、３番目の開口を開放および閉鎖する。また、引き出し式ドア４ａ、４ｂの内側には、貯蔵物を貯蔵する容器が設けられており、引き出し式ドア４ａ、４ｂが引き出されると、当該容器も本体１から引き出される。
なお、単にドアという場合は、引き出し式ドア４ａ、４ｂではなく、回転式ドア３を指す。
【００１７】
次に、上述のドアストッパー１０の構成について、図２から図６を参照して説明する。
ドアストッパー１０の分解図である図２に示すように、ドアストッパー１０は、回転式ドア３に固定される接触部材１１、接触部材１１との接触面を有する制限部材１２、制限部材１２を本体１（ヒンジ６ｂ）に固定可能な固定部材１３、および制限部材１２を固定部材１３側へ押圧し制限部材１２が本体１に固定された状態を維持する弾性部材１４を備えている。なお、図２における回転式ドア３の面３ａが正面である。
【００１８】
接触部材１１は、SUS（Steel Use Stainless）のような鋼板を折り曲げた板金部品であり、回転式ドア３における右下の角周辺に締結具によって固定されている。接触部材１１は、開口１１１を有しており、開口１１１には下方からシャフト２ｂが挿通され、シャフト２ｂを回転軸として回転式ドア３とともに回転可能である。
また、接触部材１１は、接触部材１１が設けられた回転式ドア３の角に最も近い正面側（面３ａ側）の位置に、回転式ドア３が本体１から離れる方向へ回転した際に制限部材１２と接触する平面１１ａを備えている。言い換えれば、冷蔵庫１００の正面側を見たときに、接触部材１１の右かつ手前側に平面１１ａが設けられている。平面１１ａの側方からシャフト２ｂ方向を見た場合、平面１１aの面は、シャフト２ｂの軸中心と略一致する。言い換えれば、平面１１aの面を延長していくと、シャフト２ｂの軸中心付近を通る。
【００１９】
制限部材１２は、図３および図４に示される構造を有している。図３は、制限部材１２を上方から見た斜視図であり、図４は、下方から見た斜視図である。この上方、下方は、制限部材１２を冷蔵庫１００に設置した際の上方、下方と一致する。
制限部材１２は、円盤形状の胴体部１２１、接触部材１１と接触する平面１２２ａを有する制限部１２２、制限部材１２の位置変更の操作を行う操作部１２３により構成されており、制限部１２２の平面１２２ａが接触部材１１と接触することにより、回転式ドア３の可動範囲を制限する。
胴体部１２１は、図２から図４に示すように、中央に上側の面から下側の面まで貫通する開口１２５を有しており、シャフト２ｂが下方から挿通される。胴体部１２１はシャフト２ｂを回転軸として回転可能であるが、回転式ドア３および接触部材１１とは独立して回転する。また、図３に示すように、上側の面は、開口１２５の周辺と外周とが突出しており、その間に周辺より低い面１２１ａが形成されている。この低い面１２１ａは、後述する弾性部材１４が接触し押圧する面である。
また、胴体部１２１は、図４に示すように、下側の面に２つの凸部１２４ａ、１２４ｂが形成されている。２つの凸部１２４ａ、１２４ｂは、開口１２５の中心、すなわち挿通されるシャフト２ｂの軸中心を基準として１８０度離れた位置に設けられている。凸部１２４ａ、１２４ｂは、後述する固定部材１３に形成された凹部１３１ａ、１３１ｂ、１３２ａ、１３２ｂ、１３３ａ、１３３ｂと対応する形状となっている。また、凸部１２４ａ、１２４ｂは、シャフト２ｂの周方向と交差する側面が、周方向と略垂直になるように形成されている。
胴体部１２１の円周の一部からは、制限部１２２が延びており、制限部１２２は、胴体部１２１の回転方向と略垂直な平面１２２ａを有している。この平面１２２ａは、回転式ドア３が本体１を閉鎖した状態から回転した際に、上述の接触部材１１に設けられた平面１１ａと接触する面であり、平面１１ａと平面１２２ａが面接触するように、平面１１ａと対応する形状で構成されている。制限部１２２の延びる方向は、凸部１２４ａ、１２４ｂを結んだ直線の向く方向と略一致する方向である。すなわち、凸部１２４ａ、１２４ｂと制限部１２２は直線上に並んでいる。
制限部１２２における胴体部１２１とは反対側の端部には操作部１２３が設けられている。すなわち、操作部１２３は、シャフト２ｂの軸中心と交差する方向に延びている。操作部１２３は、いわゆるツマミであり、ユーザが指でつまんで、制限部材１２をシャフト２ｂの軸方向および周方向へ移動させる際に用いられる。
これらの構成を含む制限部材１２は、樹脂で一体成型されたものであり、ポリアセタール樹脂（PolyOxyMethvlene、略記号POM）のような摩耗摺動性の高い樹脂で構成されている。
【００２０】
固定部材１３は、制限部材１２同様の樹脂成型品であり、板状の部材である。図５は、固定部材１３を上方から見た斜視図であり、この上方は、固定部材１３を冷蔵庫１００に設置した際の上方と一致する。
固定部材１３には、３つの貫通した開口１３４、１３５ａ、１３５ｂが形成されている。２つの開口１３５ａ、１３５ｂには、締結具が挿入され、本体１に設けられたヒンジ６ｂと締結され、固定部材１３がヒンジ６ｂに固定される。残りの１つの開口１３４には、シャフト２ｂが下方から挿通される（図２参照）。固定部材１３は、ヒンジ６ｂに固定されるため、回転式ドア３とともに回転することはない。
また、固定部材１３の上面には、シャフト２ｂを挿通するための開口１３４の周辺に、開口１３４の周方向に並ぶ複数の凹部１３１ａ、１３１ｂ、１３２ａ、１３２ｂ、１３３ａ、１３３ｂが設けられている。また、凹部１３１ａと凹部１３１ｂ、凹部１３２ａと凹部１３２ｂ、および凹部１３３ａと凹部１３３ｂはそれぞれ、開口１３４の中心、すなわちシャフト２ｂの軸中心を基準として１８０度離れた位置に設けられている。また、隣接する３つの凹部１３１ａ、１３２ａ、１３３ａは、シャフト２ｂの軸中心を基準として２２．５度ずつ離れた位置に設けられている。隣接する３つの凹部１３１ｂ、１３２ｂ、１３３ｂも同様である。
また、これらの凹部１３１ａ、１３１ｂ、１３２ａ、１３２ｂ、１３３ａ、１３３ｂは、制限部材１２の凸部１２４ａ、１２４ｂと対応する形状であり、嵌合可能である。制限部材１２の凸部１２４ａ、１２４ｂが凹部１３１ａ、１３１ｂ、１３２ａ、１３２ｂ、１３３ａ、１３３ｂのいずれかと嵌合することで、制限部材１２は本体１へ固定される。すなわち、固定部材１３は、制限部材１２を本体１へ固定可能であり、凸部１２４ａ、１２４ｂが嵌合する凹部１３１ａ、１３１ｂ、１３２ａ、１３２ｂ、１３３ａ、１３３ｂを変更することにより、制限部材１２の位置を変更可能である。
【００２１】
弾性部材１４は、図２に示すように、バネで構成されている。弾性部材１４には、下方からシャフト２ｂが挿通されており、上方の端部は、接触部材１１の開口１１１を通って回転式ドア３の開口（シャフト２ｂを挿入する開口）に挿入されている。下方の端部は、制限部材１２の胴体部１２１の面１２１ａと接しており、制限部材１２を固定部材１３側（すなわち、本体１に設けられたヒンジ６ｂ側）へ押圧している。この押圧力によって、回転式ドア３が本体１から離れる方向に回転している際に接触部材１１と接触した場合に、凸部１２４ａ、１２４ｂと凹部１３１ａ、１３１ｂ、１３２ａ、１３２ｂ、１３３ａ、１３３ｂとの嵌合状態が解除されず、制限部材１２が本体１へ固定された状態が維持される。
また、弾性部材１４は、シャフト２ｂの軸方向へ収縮可能であり、操作部１２３が上方に操作されることによって、弾性部材１４は収縮し、凸部１２４ａ、１２４ｂと凹部１３１ａ、１３１ｂ、１３２ａ、１３２ｂ、１３３ａ、１３３ｂとの嵌合状態（固定された様態）が解除され、制限部材１２の位置が変更可能となる。
【００２２】
次に、図６を用いて、上述の構成を有するドアストッパー１０が冷蔵庫１００へ組付けられた状態について説明する。図６は、手前側が冷蔵庫１００の正面、右側が冷蔵庫の右と対応する図面であり、シャフト２ｂの軸中心を通る断面図である。また、図６では、凸部１２４ａ、１２４ｂが凹部１３１ａ、１３１ｂに嵌合している状態を示している。
本体１の筐体に固定されたヒンジ６ｂの開口にはシャフト２ｂが固定されており、シャフト２ｂの上方の端部は、回転式ドア３の開口に挿入されている。これにより、回転式ドア３は本体１に対して回転が可能である。また、ヒンジ６ｂの上面には固定部材１３が固定されており、固定部材１３の複数の凹部１３１ａ、１３１ｂ、１３２ａ、１３２ｂ、１３３ａ、１３３ｂのうち凹部１３１ａ、１３１ｂには、制限部材１２の胴体部１２１の凸部１２４ａ、１２４ｂが挿入されている。これにより、制限部材１２は、本体１に固定されている。さらに、制限部材１２の上面と回転式ドア３の間には弾性部材１４が設けられており、制限部材１２を固定部材１３側へ押圧している。
また、制限部材１２の操作部１２３は、回転式ドア３と本体１の側面および正面よりも外方へ突出した位置にあり、操作部１２３を操作して制限部材１２を上方に移動させると、弾性部材１４が収縮されるとともに、複数の凹部１３１ａ、１３１ｂ、１３２ａ、１３２ｂ、１３３ａ、１３３ｂと凸部１２４ａ、１２４ｂとの嵌合状態が解除され、制限部材１２はシャフト２ｂに沿って自由に回転できるようになる。制限部材１２を回転させ、別の凹部１３１ａ、１３１ｂ、１３２ａ、１３２ｂ、１３３ａ、１３３ｂへ凸部１２４ａ、１２４ｂを嵌合させることで、制限部材１２の位置を変更でき、これにより接触部材１１と制限部材１２の接触位置が変わり、回転式ドア３の可動範囲が変更される。
【００２３】
以上、ドアストッパー１０およびドアストッパー１０を備えた冷蔵庫１００の構成について説明した。次に、ドアストッパー１０により回転式ドア３の可動範囲が所定角度で制限された状態について説明する。
まず、回転式ドア３の可動範囲を９０度と設定した場合を説明する。
図７は、回転式ドア３が９０度回転した際のドアストッパー１０の状態を示す図であり、ドアストッパー１０を上方から見た図である。また、図面の左方が冷蔵庫１００の正面であり、回転式ドア３および接触部材１１は反時計回り（図中の矢印の方向）に回転して本体１の開口を開放する。なお、制限部材１２および固定部材１３の状態が分かるように、接触部材１１の一部を省略し、制限部材１２を透明に表示している。
【００２４】
制限部材１２の凸部１２４ａ、１２４ｂは、固定部材の凹部１３１ａ、１３１ｂと嵌合しており、制限部１２２は、シャフト２ｂの軸中心を基準として閉鎖状態の回転式ドア３（図中では点線で示している）の反対側に位置している。制限部１２２が閉鎖状態の回転式ドア３の反対側に位置しているので、回転式ドア３が閉鎖状態から９０度回転すると、接触部材１１と制限部１２２が接触し、回転式ドア３の回転が停止される。
【００２５】
ここで、回転式ドア３の可動範囲を９０度とするための凹部１３１ａ、１３１ｂの位置について説明する。回転式ドア３が閉鎖状態から９０度回転した際に制限部１２２と接触部材１１が接触するために、制限部１２２は、シャフト２ｂの軸中心を基準として閉鎖状態の回転式ドア３の反対側に位置する必要がある。すなわち、制限部１２２の延びる方向と閉鎖状態の回転式ドア３とは略平行になる必要がある。上述のとおり、制限部１２２と凸部１２４ａ、１２４ｂは直線上に位置するので、凹部１３１ａ、１３１ｂを結ぶ直線が閉鎖状態の回転式ドア３と略平行であれば、制限部１２２は閉鎖状態の回転式ドア３の反対側に位置することとなる。したがって、回転式ドア３の可動範囲を最も狭い９０度とするための凹部１３１ａ、１３１ｂは、それらを結んだ直線が閉鎖状態の回転式ドア３と略平行になるように設けられている。
なお、制限部１２２にはシャフト２ｂの周方向に厚みがあり、実際には、制限部１２２の接触面である平面１２２ａは、凸部１２４ａ、１２４ｂを結ぶ直線と一致しないので、一致しない分だけ接触部材１１の接触面である平面１１ａを回転式ドア３の内側に設置する。
【００２６】
次に、回転式ドア３の可動範囲を１３５度と設定した場合について、図８を用いて説明する。図８は、可動範囲が１３５度であることを除き、図７と同様のものである。
制限部材１２の凸部１２４ａ、１２４ｂは、固定部材の凹部１３３ａ、１３３ｂと嵌合しており、制限部１２２は、閉鎖状態の回転式ドア３の反対側より＋４５度の位置に配置されている。なお、角度は閉鎖状態の回転式ドア３が回転する方向をプラスとする。回転式ドア３が閉鎖状態から９０度回転しても制限部材１２と接触しないため、さらに回転が可能であり、１３５度回転した時点で、接触部材１１と制限部１２２が接触し、回転式ドア３の回転が停止される。
凹部１３３ａ、１３３ｂは、凹部１３３ａ、１３３ｂを結んだ直線が凹部１３１ａ、１３１ｂを結んだ直線に対して＋４５度をなす位置に配置される。
【００２７】
また、図面は省略するが、固定部材の凹部１３２ａ、１３２ｂは、それらを結ぶ直線が凹部１３１ａ、１３１ｂを結んだ直線に対して＋２２．５度をなす位置に配置されている。よって、制限部材１２の凸部１２４ａ、１２４ｂを、固定部材の凹部１３２ａ、１３２ｂと嵌合させることで、回転式ドア３の可動範囲を９０度と１３５度の中間である１１２．５度とすることができる。
【００２８】
本発明の実施の形態１に係るドアストッパー１０および冷蔵庫１００は、以上のように構成されており、次のような効果を奏する。
ドアストッパー１０および冷蔵庫１００は、回転式ドア３と接触部材１１を介して接触する制限部材１２が、弾性部材１４に押圧されることによって本体１に固定されている。この弾性部材１４が収縮するように制限部材１２を操作することによって、容易に制限部材１２の位置を変更できる。よって、工具を用いずに、ユーザが容易に回転式ドア３の可動範囲を変更することができる。
【００２９】
ドアストッパー１０および冷蔵庫１００は、弾性部材１４が所定の押圧力で制限部材１２を押圧し、制限部材１２を本体１へ固定している。この押圧力は、回転式ドア３が本体１から離れる方向に回転し制限部材１２が接触部材１１と接触して、回転に伴う力を受けたとしても、制限部材１２と本体１との固定状態を維持できる力である。そのため、制限部材１２をナットで固定していなくても、回転式ドア３の可動範囲を制限することができる。
【００３０】
ドアストッパー１０および冷蔵庫１００は、制限部材１２と固定部材１３が凸部１２４ａ、１２４ｂと凹部１３１ａ、１３１ｂ、１３２ａ、１３２ｂ、１３３ａ、１３３ｂで嵌合することによって、制限部材１２が本体１に固定されている。そのため、回転式ドア３が制限部材１２に接触しても、制限部材１２が本体１に固定された状態を維持しやすい。したがって、押圧力の強い弾性部材１４を用いずとも固定状態を維持することができる。よって、弾性部材１４を収縮する操作に大きな力が必要なく、容易に回転式ドア３の可動範囲を変更することができる。
また、冷蔵庫１００のドアポケット３１ａ、３１ｂに重量物が貯蔵されている場合、または冷蔵庫の据え付け状態が悪く傾斜している場合には、回転式ドア３から制限部材１２へかかる力が大きくなるが、上述のように構成していることで、固定状態を維持しやすい。
【００３１】
ドアストッパー１０および冷蔵庫１００は、制限部材１２の胴体部１２１にシャフト２ｂが挿通されており、固定部材１３にはシャフト２ｂの周方向に並ぶように複数の凹部１３１ａ、１３１ｂ、１３２ａ、１３２ｂ、１３３ａ、１３３ｂが設けられている。よって、弾性部材１４を収縮しながら制限部材１２をシャフトに沿って回転させるだけで、容易に回転式ドア３の可動範囲を変更することができる。
また、回転式ドア３の回転軸と制限部材１２の回転軸が一致しているので、制限部材１２を回転させた分だけ回転式ドア３の可動範囲を変更できる。よって、回転式ドア３をいちいち開放して確認しなくても、可動範囲がどの程度変更されるか確認することが可能である。よって、容易に回転式ドア３の可動範囲を変更することができる。
【００３２】
ドアストッパー１０および冷蔵庫１００は、接触部材１１および制限部材１２の接触面が対応する形状の平面１１ａ、１２２ａで構成されている。そのため、回転式ドア３が開放された際に、接触部材１１と制限部材１２は面接触することとなる。よって、接触部材１１と制限部材１２が点や線で接触する場合に比べ、接触音を低減できる。また、接触部材１１または制限部材１２が損傷しにくい。
さらに、接触部材１１と制限部材１２の回転軸は一致しているので、制限部材１２を回転させて位置を変更しても、面接触を維持することができ、回転式ドア３の複数の可動範囲で接触音低減、損傷抑制を図ることができる。
【００３３】
ドアストッパー１０および冷蔵庫１００は、制限部材１２の胴体部１２１が上面で弾性部材１４と接しており、胴体部１２１の側方から制限部１２２および操作部１２３が延びている。すなわち、操作部１２３は、弾性部材１４が制限部材１２を押圧する方向と交差する方向に延びている。操作部１２３をつまんで制限部材１２を引き上げ、回転させることができるので、容易に回転式ドア３の可動範囲を変更することができる。
また、操作部１２３は、回転式ドア３と本体１から外方へ突出した位置にあるため、ユーザによる操作が容易である。
【００３４】
実施の形態２
次に、本発明の実施の形態２について説明する。実施の形態１で説明した構成と同様の部分については説明を省略し、実施の形態１と異なる部分について、以下に説明する。
実施の形態２のドアストッパーおよび冷蔵庫は、図９に示されるとおり、制限部材２１２の制限部１２２における平面１２２ａ（接触部材１１との接触面）にクッション材２５０を取り付けたものである。
クッション材２５０は、シリコーンゴムなどのダンパーの役割を果たす部材である。
クッション材２５０は、制限部１２２における平面１２２ａに両面テープまたは接着剤によって取り付けられている。
【００３５】
本発明の実施の形態２に係るドアストッパーおよび冷蔵庫は、以上のように構成されており、実施の形態１と同様の効果を奏するとともに、次のような効果を奏する。
ドアストッパーおよび冷蔵庫は、制限部１２２における平面１２２ａにクッション材２５０を備えているので、接触部材１１と制限部材２１２との接触の際の接触音を低減でき、また、接触部材１１または制限部材２１２の損傷を抑制することができる。
【００３６】
以上、実施の形態１および実施の形態２について説明した。ここで、実施の形態１および実施の形態２の変形例の説明および補足説明を行う。
実施の形態１および実施の形態２の冷蔵庫は、上から順番に冷蔵室、冷凍室、および野菜貯蔵室を備えていたが、順番が異なってもよい。また、３つの空間を備えているが、１つであってもよいし複数であってもよい。
さらに、冷凍室、および野菜貯蔵室については引き出し式ドア４ａ、４ｂが設けられていたが、回転式ドア３とし、実施の形態１または実施の形態２のドアストッパーを設けてもよい。
【００３７】
実施の形態１および実施の形態２のドアストッパーおよび冷蔵庫は、制限部材１２、２１２が冷蔵庫１００の本体１に固定されているが、固定部材１３を回転式ドア３に設け、回転式ドア３に固定されるようにしてもよい。この場合、接触部材１１は、本体１に固定される。また、弾性部材１４は、本体１のヒンジ６ｂと制限部材１２の間に設けられる。
この場合、制限部材１２、２１２は、回転式ドア３とともに回転し、接触部材１１を介して本体１と接触する。
【００３８】
実施の形態１および実施の形態２のドアストッパーおよび冷蔵庫は、接触部材１１、制限部材１２、２１２、固定部材１３、弾性部材１４がシャフト２ｂに挿通されているが、接触部材１１と制限部材１２、２１２が接触できる位置であれば、各構成はシャフト２ｂに挿通されなくてもよい。
【００３９】
実施の形態１および実施の形態２のドアストッパーおよび冷蔵庫は、制限部材１２、２１２が接触部材１１と接触して、回転式ドア３の可動範囲を制限していたが、制限部材１２、２１２が直接、回転式ドア３や本体１と接触してもよい。この場合、ドアストッパー１０、２１０は接触部材１１を備えていなくてもよい。
【００４０】
実施の形態１および実施の形態２のドアストッパーおよび冷蔵庫は、制限部材１２、２１２が固定部材１３を介して本体１に固定されていたが、冷蔵庫の本体１の角に、本体１に一体的に形成された突起部を設け、突起部に制限部材１２、２１２を固定してもよい。この場合、この突起部が固定部材１３に相当する。
【００４１】
実施の形態１および実施の形態２のドアストッパーおよび冷蔵庫は、冷蔵庫の本体１の開口の右下に設けられていたが、右上に設けてもよい。
【００４２】
実施の形態１および実施の形態２のドアストッパーおよび冷蔵庫は、制限部材１２、２１２に凸部１２４ａ、１２４ｂを設け、固定部材１３に複数の凹部１３１ａ、１３１ｂ、１３２ａ、１３２ｂ、１３３ａ、１３３ｂを設けていたが、制限部材１２、２１２に複数の凹部を設け、固定部材１３に凸部を設けてもよい。
また、制限部材１２、２１２、固定部材１３のいずれに凸部、凹部を設けるにしても、その数や位置、凸部と凹部の形状は変更可能である。
【００４３】
実施の形態１および実施の形態２のドアストッパーおよび冷蔵庫は、制限部材１２、２１２の凸部１２４ａ、１２４ｂと、固定部材１３の凹部１３１ａ、１３１ｂ、１３２ａ、１３２ｂ、１３３ａ、１３３ｂが嵌合することで、制限部材１２、２１２が回転しないようにしていたが、凸部１２４ａ、１２４ｂ、凹部１３１ａ、１３１ｂ、１３２ａ、１３２ｂ、１３３ａ、１３３ｂを設ける代わりに、制限部材１２、２１２と固定部材１３それぞれの接触面を摩擦の高い荒い面で構成し、弾性部材１４で押し付けることによって、制限部材１２、２１２が回転しないようにしてもよい。
【００４４】
実施の形態１および実施の形態２のドアストッパーおよび冷蔵庫は、弾性部材１４をバネで構成していたが、ゴムでもよい。
【００４５】
実施の形態１および実施の形態２の冷蔵庫の回転式ドア３は、手動で開閉するものであってもよいし、ソレノイドやモータとギアで稼働するプッシュロッドを備え自動で開閉するものであってもよい。
また、実施の形態１および実施の形態２の冷蔵庫は、左開きの回転式ドア３を備えたものとしたが、右開きの回転式ドア３、または左右両開き（観音開き）の回転式ドア３を備えたものであってもよい。
【００４６】
実施の形態１および実施の形態２では、ドアストッパーを冷蔵庫に設けた例を説明したが、回転式のドアを有する家具、家電などにドアストッパー１０、２１０を設けてもよい。
【００４７】
実施の形態１および実施の形態２では、回転式ドア３の可動範囲として、９０度、１１２．５度、１３５度の例を示したが、この角度は変更してもよい。
【００４８】
実施の形態２のドアストッパーおよび冷蔵庫は、制限部材２１２がクッション材２５０を備えていたが、接触部材１１の平面１１ａにクッション材を設けてもよい。また、クッション材２５０を設ける場合、接触音等を低減できるので、制限部材２１２の平面１２２ａおよび接触部材１１の平面１１ａは対応する形状でなくてもよい。
【産業上の利用可能性】
【００４９】
本発明のドアストッパーは、冷蔵庫その他家具、家電などのドアの可動範囲を制限するものとして利用することができる。また、本発明の冷蔵庫は、貯蔵物を貯蔵するために利用することができる。
【符号の説明】
【００５０】
１  本体、２  シャフト、３  回転式ドア、３ａ  回転式ドアの面、４  引き出し式ドア、６  ヒンジ、１０  ドアストッパー、１１  接触部材、１１ａ  平面、１２  制限部材、１３  固定部材、１４  弾性部材、３１  ドアポケット、１００  冷蔵庫、１１１  開口、１２１  胴体部、１２１ａ  面、１２２  制限部、１２２ａ  平面、１２３  操作部、１２４  凸部、１２５  開口、１３１  凹部、１３２  凹部、１３３  凹部、１３４  開口、１３５  開口、２１２  制限部材、２５０  クッション材
【図１】
2020176741.tif 000003
【図２】
2020176741.tif 000004
【図３】
2020176741.tif 000005
【図４】
2020176741.tif 000006
【図５】
2020176741.tif 000007
【図６】
2020176741.tif 000008
【図７】
2020176741.tif 000009
【図８】
2020176741.tif 000010
【図９】
2020176741.tif 000011